(57)【要約】      （修正有）【課題】簡単な構成でデータを記憶できるデータロガーを提供する。【解決手段】データロガー１０は、センサ１２の出力を記憶して利用するための装置である。データロガー１０は、変調回路１４、ボイスレコーダ１６および積分回路１８を備える。変調回路１４はセンサ１２の出力をボイスレコーダ１６に記憶できる周波数のパルスに変換する。変調回路１４で２〜３ｋＨｚの周波数のパルスに変調することで市販のボイスレコーダにセンサ１２の出力を記憶することができる。【選択図】図１
0003226343.tif 000002
【実用新案登録請求の範囲】
【請求項１】
センサの出力を記憶するためのデータロガーであって、
前記センサの出力をパルス幅変調する変調回路と、
音声データの入力端子、音声データの出力端子およびメモリを備え、前記変調回路の出力が該入力端子から入力され、該変調回路の出力をメモリに記憶するボイスレコーダと、
を備えたデータロガー。
【請求項２】
前記変調回路が、
前記センサの出力に接続された第１抵抗と、
前記第１抵抗に直列接続された第２抵抗と、
前記第１抵抗と第２抵抗の接続部に非反転入力端子が接続されたオペレーションアンプと、
を備えた請求項１のデータロガー。
【請求項３】
前記変調回路の変調度が第１抵抗と第２抵抗の比によって調整される請求項２のデータロガー。
【請求項４】
前記変調回路が、
前記オペレーションアンプの反転入力端子とアースとの間に接続されたコンデンサと、
前記オペレーションアンプの反転入力端子と出力端子の間に接続された第３抵抗と、
前記オペレーションアンプの出力端子と第２抵抗の間に接続された第４抵抗と、
前記第４抵抗とアースとの間に接続された第５抵抗と、
を備えた請求項２または３のデータロガー。
【請求項５】
前記パルスの周期がコンデンサ、第３抵抗、第４抵抗および第５抵抗によって調整される請求項４のデータロガー。
【請求項６】
前記パルスの周期が２〜３ｋＨｚである請求項５のデータロガー。
【請求項７】
前記ボイスレコーダの出力端子に接続され、メモリに記憶された変調回路の出力を復調する積分回路を備えた請求項１から６のいずれかのデータロガー。
【請求項８】
前記積分回路の出力を平滑する平滑回路を備えた請求項７のデータロガー。
【考案の詳細な説明】
【技術分野】
【０００１】
本考案は、データを記憶するデータロガーに関するものである。
【背景技術】
【０００２】
従来、センサで検知した値がデータロガーで記憶されている。たとえば下記特許文献１は各種センサに取り付けられるデータロガーを開示している。そのデータロガーはメモリ、無線モジュールなどを備え、それらをＣＰＵ（Central Processing Unit）で制御している。
【０００３】
しかし、特許文献１は無線モジュールおよびＣＰＵなどの回路を設計する必要があり、さらに構成が複雑になるおそれがある。データロガーを含めたセンサの製品価格が上昇するおそれがある。
【先行技術文献】
【特許文献】
【０００４】
【特許文献１】特開２０２０−０２４１２８号公報
【考案の概要】
【考案が解決しようとする課題】
【０００５】
本考案の目的は、簡単な構成でデータを記憶できるデータロガーを提供することにある。
【課題を解決するための手段】
【０００６】
本考案のデータロガーは、センサの出力を記憶するためのデータロガーである。本考案のデータロガーは、前記センサの出力をパルス幅変調する変調回路と、音声データの入力端子、音声データの出力端子およびメモリを備え、前記変調回路の出力が該入力端子から入力され、該変調回路の出力をメモリに記憶するボイスレコーダとを備える。
【考案の効果】
【０００７】
本考案によると、センサの出力をパルス幅変調できる変調回路を備えるだけでボイスレコーダにデータを記憶することができ、簡単な構成になっている。データロガーの構成が簡単であるため、製造等が容易になり、データロガーを含めたセンサの製品価格の上昇を抑制できる。
【図面の簡単な説明】
【０００８】
【図１】データロガーの構成を示す図である。
【図２】変調回路での変調を示すグラフであり、（ａ）は変調される前のセンサの出力を示し、（ｂ）は変調回路の出力を示すグラフである。
【図３】積分回路の入出力を示す図である。
【考案を実施するための形態】
【０００９】
本考案のデータロガーについて図面を使用して説明する。
【００１０】
図１に示す本考案のデータロガー１０は、センサ１２の出力電圧を記憶して利用するための装置である。データロガー１０は、変調回路１４、ボイスレコーダ（ＩＣ（Integrated Circuit）レコーダ）１６および積分回路１８を備える。
【００１１】
センサ１２は、ある状態を検知し、その検知した値を電圧として出力できる装置であれば種類を問わない。たとえば、磁気センサ、電圧センサ、電流センサ、温度センサ、湿度センサ、圧力センサなどがセンサ１２として挙げられる。さらにセンサ１２は非破壊検査装置のように亀裂および厚みなどの物の状態を電圧として出力する装置を含む。センサ１２は検知した値を表示するためのディスプレイを備えていてもよい。
【００１２】
変調回路１４は、センサ１２の出力をパルス幅変調する回路である。変調回路１４はセンサ１２の出力（図２（ａ））をボイスレコーダ１６に記憶できる周波数のパルス（図２（ｂ））に変換する。図２（ｂ）のパルスは図２（ａ）の電圧に応じたパルス幅になっている。たとえば、センサ１２が非破壊検査機器であれば、その出力は速くても１０Ｖ／秒であるため、市販のボイスレコーダに記憶するためにはかなり遅い。そのため、変調回路１４で２〜３ｋＨｚの周波数のパルスに変調することで市販のボイスレコーダにセンサ１２の出力を記憶することができる。なお、図２（ａ）、（ｂ）に示す波形は説明のためのモデルであり、センサ１２の種類、センサ１２が検知した値、および後述するような変調回路１４の設計等によって適宜変更される。たとえば、センサ１２は周期的に電圧を出力し、その出力電圧１周期につき数百から数千以上のパルスになるようにパルス幅変調する。
【００１３】
図１に示すように、変調回路１４はオペレーションアンプＯＰ１、複数の抵抗Ｒ１、Ｒ２、Ｒ３、Ｒ４、Ｒ５およびコンデンサＣ１を備えた回路である。第１抵抗Ｒ１がセンサ１２に接続されている。センサ１２と第１抵抗Ｒ１の間に所定の電圧レベルにするための増幅器または減衰器を含むレベル調整回路２０を備えてもよい。第１抵抗Ｒ１と第２抵抗Ｒ２が直列接続されている。オペレーションアンプＯＰ１の非反転入力端子が第１抵抗Ｒ１と第２抵抗Ｒ２の接続部分に接続されている。第１抵抗Ｒ１と第２抵抗Ｒ２の抵抗値の比によってセンサ１２の出力の変調度が調節される。
【００１４】
オペレーションアンプＯＰ１の反転入力端子とアースの間に第１コンデンサＣ１が接続されている。オペレーションアンプＯＰ１の反転入力端子と出力端子の間に第３抵抗Ｒ３が接続されている。第４抵抗Ｒ４と第５抵抗Ｒ５が直列接続されており、その直列接続された第４抵抗Ｒ４と第５抵抗Ｒ５は、第４抵抗Ｒ４がオペレーションアンプＯＰ１の出力端子に接続され、第５抵抗Ｒ５がアースに接続されている。第４抵抗Ｒ４と第５抵抗Ｒ５の接続部分に第２抵抗Ｒ２が接続されている。第３抵抗Ｒ３、第４抵抗Ｒ４、第５抵抗Ｒ５および第１コンデンサＣ１によってパルスの周期が決まる。パルスの周期は第１コンデンサＣ１と第３抵抗の積（Ｃ１×Ｒ３）の時定数および第４抵抗と第５抵抗における第５抵抗の割合（Ｒ５／（Ｒ４＋Ｒ５））の値で決定される。
【００１５】
変調回路１４はセンサ１２が備えられる筐体の中に収められていてもよい。変調回路１４が複雑で大きな回路でないため、センサ１２と変調回路１４を一体にすることができる。
【００１６】
ボイスレコーダ１６は、音声データの入力端子（マイクジャック）２２、音声データの出力端子（ヘッドフォンジャック、イヤフォンジャック）２４、メモリ２６およびコントローラ２８を備える。メモリ２６はフラッシュメモリなどの半導体メモリを含む。コントローラ２８はＣＰＵ（Central Processing Unit）を備え、データの入出力およびメモリ２６への記憶を制御する。ボイスレコーダ１６は一般に市販されている商品を使用してもよい。なお図１に示していないが、ボイスレコーダ１６はマイクおよびスピーカーを備える。
【００１７】
ボイスレコーダ１６の入力端子２２に変調回路１４を接続するために、その入力端子２２に接続可能な端子３０が変調回路１４に接続されている。変調回路１４と入力端子２２の間に、変調回路１４の出力を所定の電圧レベルにするための増幅器または減衰器を含むレベル調整回路３２を備えてもよい。
【００１８】
変調回路１４の出力はパルス幅変調されており、変調回路１４の出力がマイクからボイスレコーダ１６に入力されるときの音声データと同じデータ形式になっている。コントローラ２８が変調回路１４の出力をメモリ２６に記憶することができる。メモリ２６に変調回路１４の出力を記憶する際、コントローラ２８は日時などのデータを付加して記憶してもよい。ボイスレコーダ２８のメモリ２６にデータを記憶するため、長時間のデータを記憶することができる。
【００１９】
ボイスレコーダ１６に変調回路１４を接続する前または後に、ボイスレコーダ１６のマイクに対して必要情報を発声し、メモリ２６に記憶してもよい。たとえば、検査日時、検査場所、検査対象物をメモリ２６に音声として記憶する。メモリ２６に記憶された変調回路１４の出力を利用する際、マイクを用いて記憶した必要情報を参照することができる。
【００２０】
ボイスレコーダ１６と積分回路１８が接続されている。具体的には、ボイスレコーダ１６の出力端子２４に接続可能な端子３４が積分回路１８に接続されている。ボイスレコーダ１６の出力端子２４と積分回路１８の間に、ボイスレコーダ１６の出力を所定の電圧レベルにするための増幅器または減衰器を含むレベル調整回路３６を備えてもよい。
【００２１】
積分回路１８はボイスレコーダ１６のメモリ２６に記憶された変調回路１４の出力を復調する回路である。積分回路１８はボイスレコーダ１６の出力端子２４に接続された第６抵抗Ｒ６、第６抵抗Ｒ６とアースとの間に接続された第２コンデンサＣ２、その第２コンデンサＣ２に並列接続された第７抵抗Ｒ７を備える。第６抵抗Ｒ６と第２コンデンサＣ２が直列に接続されており、第２コンデンサＣ２の端子電圧が積分回路１８の出力となる。変調回路１４の出力はパルスになっており、積分回路１８にパルスが入力されると、パルスの立ち上がりでは出力がされず、パルスの平らな部分で出力が徐々に増えていく（図３）。なお、第７抵抗Ｒ７は第２コンデンサＣ２に蓄電された電荷を逃がす。
【００２２】
平滑回路３８が積分回路１８の出力に接続されている。平滑回路３８は、第６抵抗Ｒ６と第２コンデンサＣ２の接続部分とアースとの間に第８抵抗Ｒ８と第３コンデンサＣ３が直列接続されている。第３コンデンサＣ３の端子電圧が出力となっている。平滑回路３８は積分回路１８の出力を平滑する。平滑回路３８は積分回路１８の時定数を調節することができる。たとえば、積分回路１８の時定数を大きくすることで、積分回路１８における電圧の時間変化を遅くすることができる。
【００２３】
平滑回路３８の出力に、平滑回路３８の出力を所定の電圧レベルにするための増幅器または減衰器を含むレベル調整回路４０を備えてもよい。平滑回路３８の出力は必要に応じてモニタで表示する。
【００２４】
積分回路１８と平滑回路３８はセンサ１２を収容する筐体に収納されてもよい。ボイスレコーダ１６のメモリ２６に記憶されたデータをセンサ１２に取り付けられたディスプレイで表示させることができる。
【００２５】
本願のデータロガー１０はボイスレコーダ１６および簡単な回路構成でセンサ１２の出力を記憶することができる。本願は回路設計が容易であり、データロガー１０を含めたセンサ１２の価格をあまり上昇させずにすむ。
【００２６】
以上、本考案の一実施形態を説明したが、本願は上記の実施形態に限定されるものではない。変調回路１４、積分回路１８および平滑回路３８は上述した回路構成に限定されない。同じ動作を行う他の回路構成に置き換えてもよい。
【００２７】
メモリ２６はボイスレコーダ１６に内蔵されたメモリに限定されず、フラッシュメモリを備えたメモリカードであってもよい。メモリカードに変調回路１４の出力を記憶した後、ボイスレコーダ１６からメモリカードを取り外し、コンピュータにメモリカードを接続してもよい。コンピュータに復調するためのソフトウェアをインストールしておくことで、メモリカードに記憶されたデータをコンピュータのモニタに表示して利用することができる。
【００２８】
ボイスレコーダ１６にＵＳＢ端子などのコンピュータに接続する端子が備えられていれば、その端子からメモリ２６に記憶された変調回路１４の出力をコンピュータに転送してもよい。
【００２９】
その他、本考案は、その主旨を逸脱しない範囲で当業者の知識に基づき種々の改良、修正、変更を加えた態様で実施できるものである。
【符号の説明】
【００３０】
１０：データロガー
１２：センサ
１４：変調回路
１６：ボイスレコーダ
１８：積分回路
２０、３２、３６、４０：レベル調整回路
２２：入力端子
２４：出力端子
２６：メモリ
２８：コントローラ
３０、３４：端子
３８：平滑回路
ＯＰ１：オペレーションアンプ
Ｒ１、Ｒ２、Ｒ３、Ｒ４、Ｒ５、Ｒ６、Ｒ７、Ｒ８：抵抗
Ｃ１、Ｃ２、Ｃ３：コンデンサ
【図１】
0003226343.tif 000003
【図２】
0003226343.tif 000004
【図３】
0003226343.tif 000005